【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
通信に関わる機能をリコンフィギュレーションすることにより、複数の通信方式に準じたディジタル信号処理を行う複数のリコンフィギュラブル機能部と、通信動作を制御する通信動作制御機能部と、を備える無線通信装置であって、
前記リコンフィギュラブル機能部は、通信制御の情報を書き込まれるプロパティレジスタを含み、
前記通信動作制御機能部は、
前記通信機能のリコンフィギュレーションを行う毎に、前記通信制御の情報を前記プロパティレジスタに上書きする機能設定制御部と、
前記プロパティレジスタに保持された前記通信制御の情報に基づいて通信制御を行う通信制御部と、を含む
無線通信装置。
【請求項２】
前記通信制御手段は、前記複数のプロパティレジスタに書き込まれた複数の情報を統合し、その統合情報に基づいて通信制御を行う請求項１記載の無線通信装置。
【請求項３】
前記プロパティレジスタに上書きする前記通信制御の情報の一つとして、各リコンフィギュラブル機能部において設定された処理を行うにあたり、入出力間で発生する処理遅延時間に関するレイテンシ情報を含み、
前記通信制御部は、通信制御の一つとして、前記プロパティレジスタに書き込まれている各リコンフィギュラブル機能部におけるレイテンシ情報を収集し、前記収集されたレイテンシ情報に基づき送信信号処理の開始タイミングを決定する
請求項１記載の無線通信装置。
【請求項４】
前記通信制御部として、前記プロパティレジスタに書き込まれている各リコンフィギュラブル機能部におけるプロパティ情報を収集するプロパティ収集部と、前記プロパティ情報のうちレイテンシに関する情報を抽出するレイテンシ情報抽出部と、前記抽出されたレイテンシに関する情報に基づき、自装置における送信処理系全体での処理遅延時間量を見積もる処理遅延時間見積り部と、前記見積もられた送信処理系全体での処理遅延時間量とシステムタイミングに関する情報とに基づき、前記複数のリコンフィギュラブル機能部における送信信号処理の開始タイミングを決定する送信タイミング決定部とを有し、
自装置が対応している無線通信システムに同期した前記システムタイミングに関する情報を出力し、且つ、前記決定された複数のリコンフィギュラブル機能部における送信信号処理の開始タイミングに関する情報に基づき、前記送信信号処理の開始基準となる送信処理イネーブル信号を出力するタイマを具備する請求項３記載の無線通信装置。
【請求項５】
前記プロパティレジスタに上書きする前記通信制御の情報の一つとして、各リコンフィギュラブル機能部において設定された送信処理を行うにあたっての入出力間の利得量に関する情報を含み、
前記通信制御部は、通信制御の一つとして、前記プロパティレジスタに書き込まれている前記送信処理時の利得量に関する情報を収集し、前記収集された利得量に関する情報に基づき送信信号処理における送信振幅の補正制御を行う
請求項１記載の無線通信装置。
【請求項６】
前記通信制御部として、前記プロパティレジスタに書き込まれている各リコンフィギュラブル機能部におけるプロパティ情報を収集するプロパティ収集部と、前記プロパティ情報のうち前記送信処理時の利得量に関する情報を抽出するゲイン情報抽出部と、前記抽出された利得量に関する情報に基づき、自装置における送信処理系全体での利得量を見積もる送信系ゲイン見積り部と、自装置が対応している無線通信システムにおける送信電力仕様と前記見積もられた送信処理系全体での利得とに基づき、前記複数のリコンフィギュラブル機能部における送信信号の利得補正値を決定する送信振幅補正値決定部とを有し、
前記送信振幅補正値決定部にて決定された前記利得補正値を用いて、前記送信信号の振幅補正を行う送信振幅調整部を具備する請求項５記載の無線通信装置。
【請求項７】
前記プロパティレジスタに上書きする前記通信制御の情報の一つとして、各リコンフィギュラブル機能部において設定された受信処理を行うにあたっての入出力間の利得量に関する情報を含み、
前記通信制御部は、通信制御の一つとして、前記プロパティレジスタに書き込まれている受信処理時の利得量に関する情報を収集し、前記収集された利得量に関する情報に基づき受信電力測定における測定値の補正制御を行う
請求項１記載の無線通信装置。
【請求項８】
前記通信制御部として、
前記プロパティレジスタに書き込まれているプロパティ情報を収集するプロパティ収集部と、
前記プロパティ情報のうち受信処理時の利得量に関する情報を抽出する受信ゲイン情報抽出部と、
前記抽出された利得量に関する情報に基づき、自装置における受信処理系全体での利得量を見積もる受信系ゲイン見積り部と、
前記見積もられた受信処理系全体での利得量に基づき、前記複数のリコンフィギュラブル機能部における受信電力測定の際の補正値を決定する補正値決定部と、
前記補正値決定部において決定された補正値と、前記複数のリコンフィギュラブル機能部において算出された受信信号の平均振幅二乗値と、あらかじめ保持されている前記平均振幅二乗値と受信電力値との換算係数とを用いて、受信電力測定値の補正を行う受信電力測定値補正部と、
を有する請求項７記載の無線通信装置。
【請求項９】
前記プロパティレジスタに書き込まれる前記通信制御の情報として、
信号入力段におけるクロック周波数に関する情報と、
信号出力段におけるクロック周波数に関する情報と、
信号入力段におけるバッファサイズに関する情報と、
信号出力段におけるバッファサイズに関する情報と、
使用回路規模に関する情報と、
のうち少なくともいずれか一つの情報が含まれる
請求項１記載の無線通信装置。
【請求項１０】
送受信信号のアナログ信号処理を行う処理部における機能又は性能を変更可能な構成とし、前記処理部における機能又は性能に関するプロパティ情報を書き込む他のプロパティレジスタを設け、
前記通信制御部は、通信制御を行う場合に、前記プロパティレジスタに保持される前記通信制御の情報とともに、前記他のプロパティレジスタに書き込まれている機能又は性能に関する情報に基づいて通信制御を行う
請求項１記載の無線通信装置。
【請求項１１】
前記リコンフィギュラブル機能部からの送信ディジタル信号をアナログ信号に変換しアナログ信号処理部へ出力するディジタルアナログ変換処理部と、前記アナログ信号処理部からの受信アナログ信号をディジタル信号に変換し前記リコンフィギュラブル機能部へ出力するアナログディジタル変換処理部と、を設け、前記ディジタルアナログ変換処理部と前記アナログディジタル変換処理部におけるサンプリング周波数又は量子化ビット数を変更可能な構成とし、
設定された前記サンプリング周波数又は量子化ビット数に関する情報を前記通信制御の情報として書き込む他のプロパティレジスタを設け、
前記通信制御部は、通信制御を行う場合に、両プロパティレジスタに書き込まれている前記通信制御の情報を用いて通信制御を行う
請求項１記載の無線通信装置。
【請求項１２】
通信に関わる複数のリコンフィギュラブル機能部をリコンフィギュレーションする毎に、前記リコンフィギュラブル機能部ごとに設けられた複数のプロパティレジスタに通信制御の情報を書き込むステップと、
前記複数のプロパティレジスタに書き込まれた複数の情報を統合し、その統合情報に基づいて通信制御を行うステップと、
を具備する通信制御方法。
【手続補正２】
【補正対象書類名】明細書
【補正対象項目名】発明の名称
【補正方法】変更
【補正の内容】
【発明の名称】無線通信装置および通信制御方法
【手続補正３】
【補正対象書類名】明細書
【補正対象項目名】０００１
【補正方法】変更
【補正の内容】
【０００１】
本発明は無線通信装置および通信制御方法に関し、特に、複数の無線通信方式に対応可能な無線通信装置や適応的に無線通信方式の諸元を切り替える無線通信装置および通信制御方法に関する。
【手続補正４】
【補正対象書類名】明細書
【補正対象項目名】００２６
【補正方法】変更
【補正の内容】
【００２６】
本発明の目的は、機能変更に伴い通信制御の情報に変更が生じた場合でも、適切な補正を施して通信品質を向上する無線通信装置および通信制御方法を提供することである。
【手続補正５】
【補正対象書類名】明細書
【補正対象項目名】００２７
【補正方法】変更
【補正の内容】
【００２７】
本発明の無線通信装置は、通信に関わる機能をリコンフィギュレーションすることにより、複数の通信方式に準じたディジタル信号処理を行う複数のリコンフィギュラブル機能部と、通信動作を制御する通信動作制御機能部と、を備える無線通信装置であって、前記リコンフィギュラブル機能部は、通信制御の情報を書き込まれるプロパティレジスタを含み、前記通信動作制御機能部は、前記通信機能のリコンフィギュレーションを行う毎に、前記通信制御の情報を前記プロパティレジスタに上書きする機能設定制御部と、前記プロパティレジスタに保持された前記通信制御の情報に基づいて通信制御を行う通信制御部と、を含む構成を採る。
【手続補正６】
【補正対象書類名】明細書
【補正対象項目名】００２８
【補正方法】変更
【補正の内容】
【００２８】
本発明によれば、機能変更に伴い通信制御の情報に変更が生じた場合でも、適切な補正を施して、通信品質を向上する無線通信装置および通信制御方法を提供することができる。
【手続補正７】
【補正対象書類名】明細書
【補正対象項目名】０１６６
【補正方法】変更
【補正の内容】
【０１６６】
本発明の無線通信装置および通信制御方法は、機能変更に伴い通信制御の情報に変更が生じた場合でも、適切な補正を施して通信品質を向上するものとして有用である。